(57)【要約】  蓄電システム（１０）において、複数の蓄電モジュール（１００）は、少なくとも１つのセル（Ｃ１）をそれぞれ有し、直列接続されている。管理装置（２００）は、複数の蓄電モジュール（１００）を管理する。複数の蓄電モジュール（１００）は、それぞれ、複数の蓄電モジュール（１００）の一端の電圧（Ｖｏｕｔ）と他端の電圧（ＧＮＤ１）の間の予め定められた基準電圧（ＧＮＤ２）を基準とする信号であって、少なくとも１つのセル（Ｃ１）の情報を含む信号を通信線（Ｌ２）に出力し、一次側と二次側が絶縁された第１絶縁部（１１０）を有する。管理装置（２００）は、一次側と二次側が絶縁された第２絶縁部（２０４）と、第２絶縁部（２０４）により通信線（Ｌ２）と絶縁される回路部（２０６）とを有する。
2018038024.tif 000002
【特許請求の範囲】
【請求項１】
少なくとも１つのセルをそれぞれ有し、直列接続された複数の蓄電モジュールと、
前記複数の蓄電モジュールを管理する管理装置と、を備え、
前記複数の蓄電モジュールは、それぞれ、前記複数の蓄電モジュールの一端の電圧と他端の電圧の間の予め定められた基準電圧を基準とする信号であって、前記少なくとも１つのセルの情報を含む信号を通信線に出力する、一次側と二次側が絶縁された第１絶縁部を有し、
前記管理装置は、一次側と二次側が絶縁された第２絶縁部と、前記第２絶縁部により前記通信線と絶縁される回路部とを有することを特徴とする蓄電システム。
【請求項２】
前記基準電圧は、予め定められた隣接する２つの蓄電モジュールの間のノードの電圧であることを特徴とする請求項１に記載の蓄電システム。
【請求項３】
前記管理装置は、前記複数の蓄電モジュールの両端電圧を分圧して、前記基準電圧を出力する分圧回路を備えることを特徴とする請求項１に記載の蓄電システム。
【請求項４】
前記基準電圧は、前記複数の蓄電モジュールの一端の電圧と他端の電圧の中点電圧であることを特徴とする請求項１から３のいずれかに記載の蓄電システム。
【請求項５】
前記管理装置は、前記第１絶縁部と前記第２絶縁部に駆動電力を供給する電源回路を有し、
前記複数の蓄電モジュールと前記管理装置の間の信号伝送は、前記電源回路の電力供給で行われることを特徴とする請求項１から４のいずれかに記載の蓄電システム。
【発明の詳細な説明】
【技術分野】
【０００１】
本発明は、直列接続された複数の蓄電モジュールを備える蓄電システムに関する。
【背景技術】
【０００２】
直列接続された複数の蓄電モジュールと、これらの蓄電モジュールを管理する管理装置とを備える蓄電システムが知られている。各蓄電モジュールにおいて、管理装置と通信する通信部は、絶縁素子によって電池セルから電気的に絶縁されている。絶縁素子の耐圧は、直列接続された蓄電モジュールの両端電圧（システム電圧とも称す）程度に設定する必要がある。そのため、システム電圧が高い場合には、一般的な絶縁素子を利用できず、高耐圧の特別な絶縁素子を用いる必要がある。【０００３】
特許文献１には、直列接続された複数の組電池のそれぞれが絶縁インターフェースとコントローラとを有し、各組電池のコントローラは、絶縁インターフェースを介して上位の組電池または下位の組電池との通信を行う電池システムが開示されている。最下位の組電池は、絶縁インターフェースを介して統合コントローラと通信を行う。この構成では、それぞれの絶縁インターフェースの耐圧は各組電池の電圧程度でよいため、絶縁インターフェースとして一般的な絶縁素子を利用できる。
【先行技術文献】
【特許文献】
【０００４】
【特許文献１】特開２０１１−２５９５４５号公報
【発明の概要】
【発明が解決しようとする課題】
【０００５】
特許文献１に記載の電池システムでは、複数の絶縁インターフェースを介して通信が行われるため、通信遅延が増加する。よって、通信周期が長くなる。【０００６】
本発明はこうした状況に鑑みなされたものであり、その目的は、通信遅延の増加を抑制した上で、絶縁素子の耐圧を低減させることができる技術を提供することにある。
【課題を解決するための手段】
【０００７】
上記課題を解決するために、本発明のある態様の蓄電システムは、少なくとも１つのセルをそれぞれ有し、直列接続された複数の蓄電モジュールと、複数の蓄電モジュールを管理する管理装置と、を備える。複数の蓄電モジュールは、それぞれ、複数の蓄電モジュールの一端の電圧と他端の電圧の間の予め定められた基準電圧を基準とする信号であって、少なくとも１つのセルの情報を含む信号を通信線に出力する、一次側と二次側が絶縁された第１絶縁部を有する。管理装置は、一次側と二次側が絶縁された第２絶縁部と、前記第２絶縁部により前記通信線と絶縁される回路部とを有する。
【発明の効果】
【０００８】
本発明によれば、通信遅延の増加を抑制した上で、絶縁素子の耐圧を低減させることができる。
【図面の簡単な説明】
【０００９】
【図１】第１の実施形態に係る蓄電システムの構成を示すブロック図である。
【図２】第２の実施形態に係る蓄電システムの構成を示すブロック図である。
【発明を実施するための形態】
【００１０】
（第１の実施形態）
図１は、第１の実施形態に係る蓄電システム１０の構成を示すブロック図である。蓄電システム１０は、複数の蓄電モジュール１００と、管理装置２００とを備える。
【００１１】
複数の蓄電モジュール１００は、直列接続されている。本実施形態では、２０台の蓄電モジュール１００が直列接続されている一例について説明するが、蓄電モジュール１００の数は限定されない。最も低電圧側の最下位の蓄電モジュール１００から最も高電圧側の最上位の蓄電モジュール１００に向かって、Ｎ＝１の蓄電モジュール１００、・・・、Ｎ＝２０の蓄電モジュール１００とも称す。
【００１２】
複数の蓄電モジュール１００は、それぞれ同一の構成を有しているため、以下ではＮ＝２０の蓄電モジュール１００について説明する。蓄電モジュール１００は、組電池１０２と、電圧検出部１０４と、ＤＣ／ＤＣコンバータ１０６と、第１制御部１０８と、第１絶縁部１１０と、第１通信部１１２と、高電圧端子ＴＨと、低電圧端子ＴＬと、電源端子Ｔ１１と、通信端子Ｔ１２と、基準電圧端子Ｔ１３と、を有する。
【００１３】
組電池１０２は、充放電可能な二次電池である直列接続された複数の電池セルＣ１を有する。組電池１０２は、複数の電池セルＣ１を所定の並列数で並列接続したものをさらに所定の直列数で直列接続して構成されてもよい。電池セルＣ１の種類としては、リチウムイオン電池、ニッケル水素電池等が挙げられる。
【００１４】
組電池１０２の高圧側のノードは、高電圧端子ＴＨに接続されている。組電池１０２の低圧側のノードは、低電圧端子ＴＬに接続されている。組電池１０２の電圧、即ち高電圧端子ＴＨの電圧と低電圧端子ＴＬの電圧との電位差は、モジュール電圧とも称される。モジュール電圧は、特に限定されないが、ここでは５０Ｖであると仮定する。
【００１５】
電圧検出部１０４は、組電池１０２の電池セルＣ１の各セル電圧を検出し、第１制御部１０８に出力する。電圧検出部１０４は、低電圧端子ＴＬの電圧と高電圧端子ＴＨの電圧との電位差を電源電圧として動作する。
【００１６】
ＤＣ／ＤＣコンバータ１０６は、高電圧端子ＴＨの電圧を降圧して、降圧された電圧を第１制御部１０８と第１絶縁部１１０に供給する。
【００１７】
第１制御部１０８は、電圧検出部１０４の動作を制御し、電圧検出部１０４から出力されるセル電圧のデータを管理装置２００の処理に適したデータに変換し、組電池１０２のＳＯＣ（State Of Charge）を求める。第１制御部１０８は、電池セルＣ１の情報を含む信号を第１絶縁部１１０に出力する。第１制御部１０８は、ＤＣ／ＤＣコンバータ１０６で降圧された電圧と、低電圧端子ＴＬの電圧との電位差を電源電圧として動作する。第１制御部１０８は、ＣＰＵもしくはロジック回路、またはそれらの組み合わせで構成される。
【００１８】
第１絶縁部１１０は、一次側と二次側が電気的に絶縁されており、第１制御部１０８と第１通信部１１２との間で信号を双方向に伝送する。つまり第１絶縁部１１０は、電池セルＣ１の情報を含む信号を第１通信部１１２に出力する。第１絶縁部１１０は、少なくとも１つの絶縁素子を含み、絶縁素子としては、例えば、一次側と二次側が磁気結合して信号を伝送するデジタルアイソレータ、または、一次側にフォトダイオードを用い、二次側にフォトトランジスタを用いた光絶縁型のフォトカプラが用いられる。
【００１９】
第１絶縁部１１０には、ＤＣ／ＤＣコンバータ１０６で降圧された電圧と、低電圧端子ＴＬの電圧と、電源端子Ｔ１１の電源電圧Ｖ２と、基準電圧端子Ｔ１３の基準電圧ＧＮＤ２とが供給される。基準電圧ＧＮＤ２は、複数の蓄電モジュール１００の一端の高圧側電圧Ｖｏｕｔと他端の低圧側電圧ＧＮＤ１の間の予め定められた電圧である。即ち基準電圧ＧＮＤ２は、低圧側電圧ＧＮＤ１より高く、高圧側電圧Ｖｏｕｔより低い。電源電圧Ｖ２は、基準電圧ＧＮＤ２より予め定められた電圧だけ高い。第１絶縁部１１０と第１制御部１０８との間の信号は、ＤＣ／ＤＣコンバータ１０６で降圧された電圧をハイレベルとし、低電圧端子ＴＬの電圧をローレベルとする。第１絶縁部１１０と第１通信部１１２との間の信号は、電源電圧Ｖ２をハイレベルとし、基準電圧ＧＮＤ２をローレベルとする。つまり、第１絶縁部１１０と第１通信部１１２との間の信号は、基準電圧ＧＮＤ２を基準とする信号である。このように、第１絶縁部１１０は信号レベルの変換を行う。
【００２０】
第１通信部１１２は、後述する管理装置２００の第２通信部２０２と通信を行う。第１通信部１１２は、第１絶縁部１１０から供給される信号を通信端子Ｔ１２を介して第２通信部２０２に送信し、第２通信部２０２から送信される信号を通信端子Ｔ１２を介して受信し、受信した信号を第１絶縁部１１０に出力する。
【００２１】
第１通信部１１２は、基準電圧ＧＮＤ２と電源電圧Ｖ２との電位差を電源電圧として動作する。第１通信部１１２と第２通信部２０２との間で伝送される信号も、基準電圧ＧＮＤ２を基準とする信号であり、電源電圧Ｖ２をハイレベルとし、基準電圧ＧＮＤ２をローレベルとする。
【００２２】
Ｎ＝１からＮ＝１９の各蓄電モジュール１００の高電圧端子ＴＨは、１つ上位の蓄電モジュール１００の低電圧端子ＴＬに接続されている。これにより、複数の組電池１０２が直列接続されている。Ｎ＝２０の蓄電モジュール１００の高電圧端子ＴＨは、複数の蓄電モジュール１００の一端であり、その電圧は高圧側電圧Ｖｏｕｔである。Ｎ＝１の蓄電モジュール１００の低電圧端子ＴＬは、複数の蓄電モジュール１００の他端であり、その電圧は、低圧側電圧ＧＮＤ１である。高圧側電圧Ｖｏｕｔと低圧側電圧ＧＮＤ１は、図示しないパワーコンディショナに供給される。複数の蓄電モジュール１００の両端電圧、即ち高圧側電圧Ｖｏｕｔと低圧側電圧ＧＮＤ１の電位差は、システム電圧とも称される。本実施形態では、システム電圧は１０００Ｖである。
【００２３】
複数の蓄電モジュール１００の電源端子Ｔ１１は、後述する管理装置２００の電源端子Ｔ２１に電力線Ｌ１で接続されており、管理装置２００から電源電圧Ｖ２が供給される。複数の蓄電モジュール１００の通信端子Ｔ１２は、後述する管理装置２００の通信端子Ｔ２２に通信線Ｌ２で接続されている。複数の蓄電モジュール１００の基準電圧端子Ｔ１３は、後述する管理装置２００の基準電圧端子Ｔ２３に電力線Ｌ３で接続されていると共に、予め定められた隣接する２つの蓄電モジュール１００の間のノードｎ１にも接続されており、ノードｎ１から基準電圧ＧＮＤ２が供給される。予め定められた隣接する２つの蓄電モジュール１００は、ここでは、Ｎ＝１０の蓄電モジュール１００と、Ｎ＝１１の蓄電モジュール１００である。従って、基準電圧ＧＮＤ２は、高圧側電圧Ｖｏｕｔと低圧側電圧ＧＮＤ１の中点電圧である。高圧側電圧Ｖｏｕｔと低圧側電圧ＧＮＤ１の中点電圧とは、高圧側電圧Ｖｏｕｔと低圧側電圧ＧＮＤ１の和の１／２である。例えば、高圧側電圧Ｖｏｕｔが１０００Ｖ、低圧側電圧ＧＮＤ１が０Ｖである場合、基準電圧ＧＮＤ２は５００Ｖである。
【００２４】
管理装置２００は、複数の蓄電モジュール１００を管理する。管理装置２００は、第２通信部２０２と、第２絶縁部２０４と、第２制御部（回路部）２０６と、インバータ（電源回路）２０８と、電源端子Ｔ２１と、通信端子Ｔ２２と、基準電圧端子Ｔ２３と、を有する。
【００２５】
第２通信部２０２は、各蓄電モジュール１００の第１通信部１１２から送信される信号を通信端子Ｔ２２を介して受信し、受信した信号を第２絶縁部２０４に出力する。また、第２通信部２０２は、第２絶縁部２０４から供給される信号を通信端子Ｔ２２を介して各蓄電モジュール１００の第１通信部１１２に送信する。第２通信部２０２は、基準電圧端子Ｔ２３の基準電圧ＧＮＤ２と電源端子Ｔ２１の電源電圧Ｖ２との電位差を電源電圧として動作する。
【００２６】
第２絶縁部２０４は、一次側と二次側が電気的に絶縁されており、第２通信部２０２と第２制御部２０６との間を絶縁し、第２通信部２０２と第２制御部２０６との間で信号を双方向に伝送する。つまり第２絶縁部２０４には、第２通信部２０２を介して通信線Ｌ２の信号が入力される。第２絶縁部２０４は、少なくとも１つの絶縁素子を含み、絶縁素子としては、例えば、第１絶縁部１１０と同様にデジタルアイソレータまたは光絶縁型のフォトカプラが用いられる。
【００２７】
第２絶縁部２０４には、電源電圧Ｖ２と、基準電圧ＧＮＤ２と、電源電圧Ｖ３と、基準電圧ＧＮＤ３とが供給される。基準電圧ＧＮＤ３と電源電圧Ｖ３は、図示しない電源回路から供給される。第２通信部２０２と第２絶縁部２０４との間の信号は、電源電圧Ｖ２をハイレベルとし、基準電圧ＧＮＤ２をローレベルとする。第２絶縁部２０４と第２制御部２０６との間の信号は、電源電圧Ｖ３をハイレベルとし、基準電圧ＧＮＤ３をローレベルとする。このように、第２絶縁部２０４も信号レベルの変換を行う。
【００２８】
第２制御部２０６は、前述のように第２絶縁部２０４により通信線Ｌ２と絶縁される。第２制御部２０６は、第２通信部２０２および第２絶縁部２０４を介して、複数の蓄電モジュール１００を制御するための信号を送信し、複数の蓄電モジュール１００の第１制御部１０８から送信されるセル電圧やＳＯＣなどに関するデータを受信する。第２制御部２０６は、受信したデータに基づいて、各蓄電モジュール１００の状態に関する信号を、図示しない外部の制御装置に出力する。外部の制御装置は、第２制御部２０６から出力された信号に基づいて、複数の蓄電モジュール１００の両端に接続されたパワーコンディショナを制御する。これにより、複数の蓄電モジュール１００の充放電が制御される。第２制御部２０６は、ＣＰＵもしくはロジック回路、またはそれらの組み合わせで構成される。第２制御部２０６は、基準電圧ＧＮＤ３と電源電圧Ｖ３との電位差を電源電圧として動作する。
【００２９】
インバータ２０８は、絶縁型のインバータであり、外部の交流電源１２の交流電力を直流電力に変換し、第１絶縁部１１０と第２絶縁部２０４に駆動電力を供給する。インバータ２０８は、基準電圧ＧＮＤ２を基準とした電源電圧Ｖ２を、第２通信部２０２と第２絶縁部２０４に供給すると共に、電源端子Ｔ２１を介して第１通信部１１２と第１絶縁部１１０に供給する。つまり、複数の蓄電モジュール１００と管理装置２００との間の信号伝送は、管理装置２００内部のインバータ２０８の電力供給で行われる。管理装置２００がインバータ２０８を有することで、電源電圧Ｖ２を適切に供給できる。
【００３０】
電源電圧Ｖ２および基準電圧ＧＮＤ２は、電源電圧Ｖ３および基準電圧ＧＮＤ３から電気的に絶縁されている。高圧側電圧Ｖｏｕｔおよび低圧側電圧ＧＮＤ１も、電源電圧Ｖ３および基準電圧ＧＮＤ３から電気的に絶縁されている。高圧側電圧Ｖｏｕｔおよび低圧側電圧ＧＮＤ１が基準電圧ＧＮＤ３から絶縁されているため、基準電圧ＧＮＤ３を０Ｖとして、高圧側電圧Ｖｏｕｔおよび低圧側電圧ＧＮＤ１は、接続されるパワーコンディショナの特性に応じて負電圧から正電圧で変動しうる。
【００３１】
次に、各蓄電モジュール１００の第１絶縁部１１０の耐圧について説明する。例えば、Ｎ＝２０の蓄電モジュール１００の第１絶縁部１１０には、最大で基準電圧ＧＮＤ２とＤＣ／ＤＣコンバータ１０６で降圧された電圧との差程度の電圧が印加される。ＤＣ／ＤＣコンバータ１０６で降圧された電圧を９５５Ｖと仮定すると、第１絶縁部１１０には概ね４５５Ｖが印加される。従って、この第１絶縁部１１０は、概ね４５５Ｖ以上の耐圧を有する必要がある。
【００３２】
Ｎ＝１の蓄電モジュール１００の第１絶縁部１１０には、最大で低圧側電圧ＧＮＤ１と電源電圧Ｖ２との差程度の電圧が印加される。電源電圧Ｖ２を５１０Ｖと仮定すると、第１絶縁部１１０には概ね５１０Ｖが印加される。従って、この第１絶縁部１１０は、概ね５１０Ｖ以上の耐圧を有する必要がある。他の蓄電モジュール１００の第１絶縁部１１０に印加される電圧は、Ｎ＝１の蓄電モジュール１００の第１絶縁部１１０に印加される電圧より低い。そのため、他の蓄電モジュール１００の第１絶縁部１１０の耐圧はこの値より低くてもよい。
【００３３】
なお、前述のように、基準電圧ＧＮＤ３を０Ｖとして、高圧側電圧Ｖｏｕｔおよび低圧側電圧ＧＮＤ１は負電圧から正電圧で変動しうるため、電源電圧Ｖ２および基準電圧ＧＮＤ２も変動しうる。そのため、第２絶縁部２０４の耐圧は、電源電圧Ｖ２の絶対値と基準電圧ＧＮＤ２の絶対値のいずれか大きい値程度となる。
【００３４】
以上で説明したように、本実施形態によれば、各蓄電モジュール１００の第１絶縁部１１０は、高圧側電圧Ｖｏｕｔと低圧側電圧ＧＮＤ１の中点電圧である基準電圧ＧＮＤ２を基準とする信号を、第１通信部１１２を介して通信線Ｌ２に出力する。そのため、それぞれの第１絶縁部１１０の耐圧は、概ね高圧側電圧Ｖｏｕｔと基準電圧ＧＮＤ２との差、即ち低圧側電圧ＧＮＤ１と基準電圧ＧＮＤ２との差であるシステム電圧の１／２（＝５００Ｖ）程度でよい。よって、第１絶縁部１１０の耐圧をシステム電圧（＝１０００Ｖ）よりも低減させることができるので、第１絶縁部１１０として一般的な絶縁素子を利用できる。また、基準電圧ＧＮＤ２は中点電圧であるため、第１絶縁部１１０の耐圧を最小に近づけることができる。
【００３５】
また、各蓄電モジュール１００の第１制御部１０８は、第１絶縁部１１０と第２絶縁部２０４とを介して管理装置２００の第２制御部２０６と通信し、各蓄電モジュール１００の第１絶縁部１１０を複数段重ねて介することがないため、通信遅延を増加させる恐れがない。そのため、各組電池のコントローラが絶縁インターフェースを介して上位の組電池または下位の組電池との通信を行う既存の電池システムと比較して、より短い通信周期でセル電圧等の情報を取得できる。よって、既存の電池システムと比較して、セル電圧を複数回計測する場合、短期間で計測でき、各セル電圧の計測時刻のばらつきを少なくできる。
【００３６】
従って、通信遅延の増加を抑制した上で、第１絶縁部１１０の耐圧を低減させることができる。
【００３７】
（第２の実施形態）
第２の実施形態では、基準電圧ＧＮＤ２を分圧回路で生成する点において、第１の実施形態と異なる。以下では、第１の実施形態との相違点を中心に説明する。
【００３８】
図２は、第２の実施形態に係る蓄電システム１０Ａの構成を示すブロック図である。図２に示すように、蓄電システム１０Ａでは、Ｎ＝１０の蓄電モジュール１００とＮ＝１１の蓄電モジュール１００の間のノードは、基準電圧端子Ｔ１３に接続されていない。また、管理装置２００Ａは、図１の構成に加え、分圧回路２１０と、電圧検出部２１２と、端子Ｔ２４と、端子Ｔ２５とをさらに有する。
【００３９】
分圧回路２１０は、複数の蓄電モジュール１００の両端電圧を分圧して、基準電圧ＧＮＤ２を出力する。分圧回路２１０は、抵抗Ｒ１と、抵抗Ｒ２とを有する。抵抗Ｒ１の一端は、端子Ｔ２４を介してＮ＝２０の蓄電モジュール１００の高電圧端子ＴＨに接続されている。抵抗Ｒ１の他端は、抵抗Ｒ２の一端および基準電圧端子Ｔ２３に接続され、基準電圧ＧＮＤ２を出力する。抵抗Ｒ２の他端は、端子Ｔ２５を介してＮ＝１の蓄電モジュール１００の低電圧端子ＴＬに接続されている。
【００４０】
抵抗Ｒ１の値は、抵抗Ｒ２の値と実質的に等しく設定されている。よって、第１の実施形態と同様に、基準電圧ＧＮＤ２は、高圧側電圧Ｖｏｕｔと低圧側電圧ＧＮＤ１の中点電圧である。
【００４１】
電圧検出部２１２は、複数の蓄電モジュール１００の両端電圧を検出する。検出された両端電圧は、図示を省略した絶縁部を介して、第２制御部２０６に供給される。第２制御部２０６は、検出された両端電圧に基づいて、パワーコンディショナを制御する。
【００４２】
ここで、第１の実施形態では、例えば、複数の蓄電モジュール１００で検出された各セル電圧に基づいて複数の蓄電モジュール１００の両端電圧を算出することができる。これに対して、第２の実施形態によれば、第１の実施形態と比較して、より短時間で両端電圧を検出できる。これにより、パワーコンディショナの制御をより迅速に行うことができる。
【００４３】
また、本実施形態によれば、管理装置２００Ａの電圧検出部２１２に供給される高圧側電圧Ｖｏｕｔと低圧側電圧ＧＮＤ１に基づいて分圧回路２１０が基準電圧ＧＮＤ２を生成するので、隣接する２つの蓄電モジュール１００の間のノードに電力線を接続する必要がない。また、分圧回路２１０により、基準電圧ＧＮＤ２を任意の値に容易に設定できる。
【００４４】
以上、本発明を実施形態をもとに説明した。これら実施形態は例示であり、それらの各構成要素や各処理プロセスの組合せにいろいろな変形例が可能なこと、またそうした変形例も本発明の範囲にあることは当業者に理解されるところである。
【００４５】
例えば、第１の実施形態では、基準電圧ＧＮＤ２は、Ｎ＝１０の蓄電モジュール１００とＮ＝１１の蓄電モジュール１００の間のノードｎ１の電圧、即ち高圧側電圧Ｖｏｕｔと低圧側電圧ＧＮＤ１の中点電圧である一例について説明したが、これに限らない。基準電圧ＧＮＤ２は、高圧側電圧Ｖｏｕｔと低圧側電圧ＧＮＤ１の間の電圧であればよく、第１絶縁部１１０の耐圧が所望の値になる限り、高圧側電圧Ｖｏｕｔと低圧側電圧ＧＮＤ１の中点電圧より高くてもよいし、低くてもよい。また前述のように、第２絶縁部２０４の耐圧は、電源電圧Ｖ２の絶対値と基準電圧ＧＮＤ２の絶対値のいずれか大きい値程度となるため、パワーコンディショナの特性に応じて基準電圧ＧＮＤ２を中点電圧以外に設定することにより、第２絶縁部２０４の耐圧を低減できる場合がある。これらのことは、第２の実施形態でも同様であり、抵抗Ｒ１の値は抵抗Ｒ２の値と異なっていてもよい。
【００４６】
また、電池セルＣ１は、電気二重層キャパシタ、リチウムイオンキャパシタ等のキャパシタ（コンデンサ）であってもよい。
【００４７】
なお、実施の形態は、以下の項目によって特定されてもよい。
【００４８】
［項目１］
少なくとも１つのセル（Ｃ１）をそれぞれ有し、直列接続された複数の蓄電モジュール（１００）と、
前記複数の蓄電モジュール（１００）を管理する管理装置（２００，２００Ａ）と、を備え、
前記複数の蓄電モジュール（１００）は、それぞれ、前記複数の蓄電モジュール（１００）の一端の電圧（Ｖｏｕｔ）と他端の電圧（ＧＮＤ１）の間の予め定められた基準電圧（ＧＮＤ２）を基準とする信号であって、前記少なくとも１つのセル（Ｃ１）の情報を含む信号を通信線（Ｌ２）に出力する、一次側と二次側が絶縁された第１絶縁部（１１０）を有し、
前記管理装置（２００，２００Ａ）は、一次側と二次側が絶縁された第２絶縁部（２０４）と、前記第２絶縁部（２０４）により前記通信線（Ｌ２）と絶縁される回路部（２０６）とを有することを特徴とする蓄電システム（１０，１０Ａ）。
これによれば、通信遅延の増加を抑制した上で、第１絶縁部（１１０）の耐圧を低減させることができる。
［項目２］
前記基準電圧（ＧＮＤ２）は、予め定められた隣接する２つの蓄電モジュール（１００）の間のノード（ｎ１）の電圧であることを特徴とする項目１に記載の蓄電システム（１０）。
これによれば、基準電圧（ＧＮＤ２）を簡単な構成で取得できる。
［項目３］
前記管理装置（２００Ａ）は、前記複数の蓄電モジュール（１００）の両端電圧を分圧して、前記基準電圧（ＧＮＤ２）を出力する分圧回路（２１０）を備えることを特徴とする項目１に記載の蓄電システム（１０Ａ）。
これによれば、基準電圧（ＧＮＤ２）を任意の値に容易に設定できる。
［項目４］
前記基準電圧（ＧＮＤ２）は、前記複数の蓄電モジュール（１００）の一端の電圧（Ｖｏｕｔ）と他端の電圧（ＧＮＤ１）の中点電圧であることを特徴とする項目１から３のいずれかに記載の蓄電システム（１０，１０Ａ）。
これによれば、第１絶縁部（１１０）の耐圧を最小に近づけることができる。
［項目５］
前記管理装置（２００，２００Ａ）は、前記第１絶縁部（１１０）と前記第２絶縁部（２０４）に駆動電力を供給する電源回路（２０８）を有し、
前記複数の蓄電モジュール（１００）と前記管理装置（２００，２００Ａ）の間の信号伝送は、前記電源回路（２０８）の電力供給で行われることを特徴とする項目１から４のいずれかに記載の蓄電システム（１０，１０Ａ）。
これによれば、電源電圧（Ｖ２）を適切に供給できる。
【符号の説明】
【００４９】
１０，１０Ａ…蓄電システム、１００…蓄電モジュール、Ｃ１…電池セル、１０２…組電池、１０８…第１制御部、１１０…第１絶縁部、１１２…第１通信部、２００，２００Ａ…管理装置、２０２…第２通信部、２０４…第２絶縁部、２０６…第２制御部、２０８…インバータ（電源回路）、２１０…分圧回路、Ｌ２…通信線。
【図１】
2018038024.tif 000003
【図２】
2018038024.tif 000004
【国際調査報告】
2018038024.tif 000005
2018038024.tif 000006